(57)【要約】【課題】症状に直結した脳に関する測定結果に裏付けられた脳作用剤を見出して、その効果を好適に奏する形態、形状等を見出し、使い勝手も加味した優れた脳作用マスクを提供すること。【解決手段】使用者が装着した際に該使用者の鼻を覆うマスク本体部を有し、鼻から吸引された有効成分が使用者の脳に機能的に作用する脳作用マスクであって、  該マスク本体部の略中央部には袋状部分が存在し、上記有効成分を含有する液体が含浸された液体保持部材が収納できるようになっており、  該「有効成分を含有する液体」が、植物を５０℃以下に維持しながら減圧して固液分離して得た水性植物エキスを含有するものであり、  該液体保持部材が、繊維を圧縮成形したものであって、該袋状部分に交換収納ができるようになっている脳作用マスク。【選択図】図５
2020065836.tif 000002
【特許請求の範囲】
【請求項１】
使用者が装着した際に該使用者の鼻を覆うマスク本体部を有し、鼻から吸引された有効成分が使用者の脳に機能的に作用する脳作用マスクであって、
該マスク本体部の略中央部には袋状部分が存在し、該袋状部分は、「上記有効成分を含有する液体が含浸された液体保持部材」が収納できるようになっており、
該「有効成分を含有する液体」が、植物を５０℃以下に維持しながら減圧して固液分離して得た水性植物エキスを含有するものであり、
該液体保持部材が、繊維を圧縮成形したものであって、該袋状部分に交換収納ができるようになっているものであることを特徴とする脳作用マスク。
【請求項２】
上記液体保持部材が、フィブリル化セルロースを付与してなるものである請求項１に記載の脳作用マスク。
【請求項３】
上記液体保持部材が、繊維を圧縮成形したものにフィブリル化セルロース分散液を塗布してなるものであるか、又は、フィブリル化セルロース分散液を塗布してなる繊維を圧縮成形したものである請求項１又は請求項２に記載の脳作用マスク。
【請求項４】
上記液体保持部材が、円柱状の形状を有するものであって、該円柱の側面が液体難透過性の処理がなされているものである請求項１ないし請求項３の何れかの請求項に記載の脳作用マスク。
【請求項５】
上記繊維が綿の繊維である請求項１ないし請求項４の何れかの請求項に記載の脳作用マスク。
【請求項６】
上記液体保持部材は、上記「有効成分を含有する液体」を含浸させて、上記袋状部分に交換収納ができるように、その体積が０．３ｃｍ３以上３ｃｍ３以下になっているものである請求項１ないし請求項５の何れかの請求項に記載の脳作用マスク。
【請求項７】
上記水性植物エキスが、実質的に抽出溶媒を使用せずに、原料である植物から、該植物の温度を５０℃以下に維持しながら減圧して固液分離して得た水性成分である請求項１ないし請求項６の何れかの請求項に記載の脳作用マスク。
【請求項８】
上記水性植物エキスの原料である植物が、サクラ、ラベンダー又はレモングラスである請求項１ないし請求項７の何れかの請求項に記載の脳作用マスク。
【請求項９】
上記袋状部分は、その上部に上記液体保持部材の収納と取出しができるような開口部を有し、該開口部の横幅が該袋状部分の底部の横幅以上の長さを有する請求項１ないし請求項８の何れかの請求項に記載の脳作用マスク。
【請求項１０】
上記マスク本体部の両脇に、更に左右一対の耳掛け部を有する請求項１ないし請求項９の何れかの請求項に記載の脳作用マスク。
【請求項１１】
認知症、鬱症状、不眠症、食欲不振症状、又は、ストレス症状の治療若しくは予防用である請求項１ないし請求項１０の何れかの請求項に記載の脳作用マスク。
【請求項１２】
脳活性化用又は脳沈静化用である請求項１ないし請求項１０の何れかの請求項に記載の脳作用マスク。
【請求項１３】
コルチゾール分泌抑制用である請求項１ないし請求項１０の何れかの請求項に記載の脳作用マスク。
【発明の詳細な説明】
【技術分野】
【０００１】
本発明は、水性植物エキスを用いた脳作用マスクに関するものであり、更に詳しくは、植物を固液分離して得た水性植物エキスを特定の液体保持部材に含浸させ、該液体保持部材をマスクに設けられた袋状部分に収納して使用することによって、鼻から吸引された有効成分が脳に機能的に作用する脳作用性マスクに関するものである。
【背景技術】
【０００２】
植物から抽出された香料や精油等は、精神症状の対症療法として利用ができることが知られている。
特許文献１には、精油成分であるβ−セクレターゼ阻害剤を含有する老人性痴呆症の予防又は治療薬が記載されており、かかる精油成分は、クローブ油やティーツリー油に含まれるとしている。
また、特許文献２には、セージ精油を有効成分として含む嗅覚機能改善剤が記載されており、認知症患者に投与すれば有効であるとされている。
【０００３】
このように、香料や精油は、その香りが人体に感覚的に受容されることで、様々な作用を有すると考えられているが、その作用については、官能的なものが多く、医学的、科学的な検証に欠けるものであった。
また、その香料や精油の用途（症状、疾患、吸気手段、使用態様等）についても、「アロマセラピー用」等と言った漠然としたものであり、医学的・科学的な（基礎的な）実験で証明された証拠に基づいたものではなかった。
【０００４】
特許文献３には、ラベンダー、ローズマリー、レモングラス等の植物から特定の抽出方法で抽出された高品質な香気成分含有抽出物が記載されている。
しかしながら、特許文献３は、抽出対象として香気のある植物が列挙されているのみで、特定用途への適用性を検討したものではなかった。また、主に精油を獲得するものであり、脂溶性の原料に容易に混合できることを特徴としており、水性ではないため使用上多くの問題点があった。
【０００５】
また、特許文献４には、レモングラス等から特定の抽出方法（固液分離方法）で抽出された抽出液が、嗅覚を利用して人の脳の特定の場所に作用して脳の特定の場所の活動を賦活又は抑制する経鼻的脳機能調整剤が記載されている。
特許文献４には、近赤外分光分析法（ＮＩＲＳ）を用いて、種々の脳機能に作用・影響する経鼻的脳機能調整剤が記載されているが、原理的（基礎的）測定結果のみに留まっているものであり、ヒトの状態に直結した実際的測定結果（エビデンス）に基づいて吸気手段、使用態様等について限定したものではない。
【０００６】
すなわち、上記特許文献の何れにも、抽出液又は固液分離液の使用方法について限定がなく、主に空間に揮散させて使用するものと思われ、具体的には水性成分を含有するマスクとして使用することは記載されていない。
【０００７】
「香り」のヒトの脳に対する作用・効果に関する臨床研究は、本発明者らにより長年にわたり実施されている。
近年、高齢化が進み、例えば認知症等の疾患の予防・治療は、極めて重要な課題であるにも関わらず、医学的測定、分析的測定、ヒトに直結した測定等によって裏付けられた「脳機能への作用」については、天然物において殆ど知られておらず、明確な科学的裏付けがある脳機能への作用剤、その優れた使用形態・吸気方法、用途等が強く望まれていた。
【先行技術文献】
【特許文献】
【０００８】
【特許文献１】特開２０１０−２５４６０７号公報
【特許文献２】特開２０１３−０１４５３７号公報
【特許文献３】特開２０１２−０６２３７４号公報
【特許文献４】国際公開第２０１５／０２５９０２号
【発明の概要】
【発明が解決しようとする課題】
【０００９】
本発明は上記背景技術に鑑みてなされたものであり、その課題は、前記問題点を解決し、症状等に直結した測定結果（エビデンス）に裏付けられた脳作用剤を見出して、その効果を好適に奏する形態（形状等）を見出し、使い勝手も加味した、優れた脳作用マスクを提供することにある。
【課題を解決するための手段】
【００１０】
本発明者は、上記の課題を解決すべく鋭意検討を重ねた結果、「水性の植物エキスを含有する特定の液体保持部材」をマスク本体部の袋状部分に収納して用いれば、使い勝手が良い上に、好適に脳機能に関する幾つかの症状を治療若しくは予防できることを、症状に直結した測定結果（エビデンス）によって見出した。
【００１１】
更には、該液体保持部材やその処理を特定のものとすることで、より少量の「有効成分を含有する液体」で、より長時間その効果を維持でき、マスク本体部を該液体の浸み込みで汚すこともなく、使い勝手が極めて良いことを見出した。
更には、特定の固液分離方法で植物を処理して水性植物エキスを得れば、更に好適に脳機能に作用する水性成分が得られることを見出した。
【００１２】
更には、特定の植物から特定の方法・条件で固液分離した水性の成分を、マスクの形態で経鼻的に使用すれば、極めて優れた脳機能活性・沈静化、認知症予防・治療効果、抗ストレス症予防・治療効果等を発揮することを見出して、本発明を完成するに至った。
【００１３】
すなわち、本発明は、使用者が装着した際に該使用者の鼻を覆うマスク本体部を有し、鼻から吸引された有効成分が使用者の脳に機能的に作用する脳作用マスクであって、
該マスク本体部の略中央部には袋状部分が存在し、該袋状部分は、「上記有効成分を含有する液体が含浸された液体保持部材」が収納できるようになっており、
該「有効成分を含有する液体」が、植物を５０℃以下に維持しながら減圧して固液分離して得た水性植物エキスを含有するものであり、
該液体保持部材が、繊維を圧縮成形したものであって、該袋状部分に交換収納ができるようになっているものであることを特徴とする脳作用マスクを提供するものである。
【００１４】
また、本発明は、上記液体保持部材が、フィブリル化セルロースを付与してなるものである上記の脳作用マスクを提供するものである。
【００１５】
また、本発明は、上記液体保持部材が、円柱状の形状を有するものであって、該円柱の側面が液体難透過性の処理がなされているものである上記の脳作用マスクを提供するものである。
【００１６】
また、本発明は、上記水性植物エキスが、実質的に抽出溶媒を使用せずに、原料である植物から、該植物の温度を５０℃以下に維持しながら減圧して固液分離して得た水性成分である上記の脳作用マスクを提供するものである。
【００１７】
また、本発明は、上記袋状部分は、その上部に上記液体保持部材の収納と取出しができるような開口部を有し、該開口部の横幅が該袋状部分の底部の横幅以上の長さを有する上記の脳作用マスクを提供するものである。
【００１８】
また、本発明は、認知症、鬱症状、不眠症、食欲不振症状、又は、ストレス症状の治療若しくは予防用；脳活性化用又は脳沈静化用；コルチゾール分泌抑制用；である上記の脳作用マスクを提供するものである。
【発明の効果】
【００１９】
本発明によれば、使用者が、「有効成分を含有する液体」を含浸させた液体保持部材を、極めて簡便な方法でマスク内に着脱することができ、すなわち、吸引又は蒸発等により有効成分の効果が薄れたら交換する（再生させる）ことができ、使い勝手が良い上に、有効成分を確実に継続的に鼻から吸入できる。
【００２０】
また、本発明における液体保持部材は、特殊な形態（物性）を有するため、濾紙等の紙；ガーゼ等の織布；不織布；等の他の形態のものに比べ、水性液体の保持力が大きいので、少量の水性液体（水性植物エキスを含有する液体）を含浸させたものでも、交換せずに長時間の効果が維持できる。
言い換えると、本発明における液体保持部材は、含浸された水性液体の蒸発を抑制するので、上記したような他の形態の液体保持部材を使用したときに比べ、例えば１０〜１５質量％程、含浸させる水性液体の量が少なくても、脳に機能的に作用している時間を同一にすることができる（継続使用効果が得られる）。
【００２１】
また、本発明における液体保持部材は、特殊な形態（物性）を有するため、濾紙等の紙；ガーゼ等の織布；不織布；等の他の形態のものに比べ、水性液体を保持する能力が高いので、該液体保持部材に接しているマスク本体部の一部分だけが濡れるに止まり、液体による濡れが液体保持部材の周囲に広範囲に広がることがない（例えば、マスク本体部の広領域が濡れることがない）。
また、上記したように含浸させる液体も少量で済むので、尚更、液体による濡れが液体保持部材の周囲に広範囲に広がることがない。
そうなることで、高価な水性植物エキスを含有する液体が無駄になることがなく、鼻の直上のみに、すなわち袋状部分に収納された液体保持部材の極めて近傍のみに、有効成分を集中させることができる。
【００２２】
固液分離の対象となる植物（水性植物エキスの原料となる植物）を、「酸素が結合したヘモグロビンを含有する血液」が脳内に多く流れているか（脳内に存在するか）否かを、近赤外分光分析法（ＮＩＲＳ）（以下、単に「ＮＩＲＳ」と略記することがある）で実際に検出して判断して選択すれば、脳に機能的に作用することが明らかとなり、脳作用に特化され用途が限定された有用な脳作用マスクが得られる。
【００２３】
従来の「ハーブ等からの精油や香料」を利用したアロマセラピーでは、官能評価によって脳に変化が起っているであろうとの推測に基づくものであったが、本発明によって、医学的・科学的な測定結果（エビデンス）に裏付けられた「用途限定（マスクに限定、更には用途限定されたマスクに限定）の脳作用マスク」を提供できた。
【００２４】
マスクは、少量で効果を発揮し、ディヒューザ等の空間に揮散させるタイプとは異なり、周辺への影響が少ないので、特定のヒト用として最適である。従って、本発明の脳作用マスクは、例えば一部の何人かの認知症患者等がいる施設内等での使用として、極めてマッチング性に優れたものである。
【００２５】
更に、特定の固液分離方法で植物を分離すれば、熱分解が抑えられ、植物の細胞水のみを含有（天然成分だけを含有）させることができるので、よりヒトに対する安全性が高く、抽出溶媒臭もなく、より好適に脳機能に作用する水性植物エキスが得られる。
そして、それをマスクの形態で経鼻的に使用することで、極めて優れた脳機能活性化・沈静化；認知症、鬱症状、ストレス症状、不眠症、食欲不振症等の予防・治療効果を発揮するようになる。
【００２６】
また、固液分離された液体（エキス）が、精油等の油性液体ではないので、すなわち精油等の油性液体が除かれているので（水に溶解している油性成分は含まれる）、より好適に脳機能に作用する。すなわち、刺激が強過ぎることがなく持続的に効率的に作用する。脳に機能的に上記のように作用する有効成分は、水性液体の方に豊富に含有されている。
【００２７】
また、精油等の油性液体の場合は、エタノール等の有機溶媒で希釈しなくてはならず、マスクにしたときに該希釈溶剤の吸入が問題になるが、本発明によれば、植物の細胞水と言った水性成分であるので、水で希釈することができるので、安全であることに加え、本発明における特定の液体保持部材に浸み込ませて好適に使用できる。
【図面の簡単な説明】
【００２８】
【図１】本発明の脳作用マスクの袋状部分の形態の例を示す図である。  （ａ）（ｂ）逆三角形状の袋状部分  （ｃ）逆台形状の袋状部分  （ｄ）長方形状の袋状部分  （ｅ）（ｆ）お椀状の袋状部分
【図２】脳作用マスクの例を示す写真である。  （ａ）（ｂ）袋状部分のないマスク  （ｃ）（ｄ）（ｅ）袋状部分がある本発明の脳作用マスク
【図３】本発明に用いられる液体保持部材の例を示す図である。  （ａ）直径より高さの方が長い円柱状  （ｂ）（ｃ）球状  （ｄ）直径より高さの方が短い円柱状  （ｅ）楕円球状  （ｆ）平板状
【図４】本発明に用いられる液体保持部材の例を示す写真である。  （ａ）円柱状（デンタルコットン等）  （ｂ）（ｃ）（ｄ）球状（綿球、コットンボール等）
【図５】装着して使用しているときに、液体保持部材に含浸された液体がマスク本体部に染み出てきた状態を示す図である。  （ａ）フィブリル化セルロースが付与されている本発明の液体保持部材を使用  （ｂ）コットン球である本発明の液体保持部材を使用  （ｃ）濾紙又は不織布である液体保持部材を使用
【図６】本発明の脳作用マスクの作製について示すフロー図である。
【図７】近赤外分光分析法（ＮＩＲＳ）の原理を示す図である。
【図８】ＮＩＲＳで測定した前頭葉の活性化・沈静化の状態の一例を示す図である。図Ｂと図Ｃにおいて、右側のメジャー（尺度）は、上に行く程実際には赤くなっていて、活性化していることを示し、下に行く程実際には青くなっていて、沈静化していることを示す。以下のＮＩＲＳ測定の結果の図においても同様である。
【図９】実施例１において、レモングラスから得られた固液分離液を、マスクの形態でＮＩＲＳ測定した結果を示す図である。
【図１０】実施例２において、サクラから得られた固液分離液を、マスクの形態でＮＩＲＳ測定した結果を示す図である。
【図１１】実施例３において、ラベンダーから得られた固液分離液を、マスクの形態でＮＩＲＳ測定した結果を示す図である。
【図１２】比較例２において、ランから得られた固液分離液を、マスクの形態でＮＩＲＳ測定した結果を示す図である。
【図１３】実施例１、２、３と比較例２の結果をまとめた表である。
【図１４】本発明の脳作用マスクの機能評価の原理を示す概念図である。
【図１５】本発明の脳作用マスクを使用したときの唾液中のコルチゾール量（μｇ／ｄＬ）の変化、すなわち抗ストレス効果を示すグラフである。
【図１６】レモングラスから得られた水性植物エキスの食欲増進効果の測定方法を示す写真である。
【図１７】レモングラスから得られた水性植物エキスをラットに嗅がせたときの体重の変化の測定結果を示すグラフである。
【図１８】本発明における植物の固液分離（低温真空固液分離法）に用いられる装置の一形態を示す概略図である。
【発明を実施するための形態】
【００２９】
以下、本発明について説明するが、本発明は、以下の具体的形態に限定されるものではなく、技術的思想の範囲内で任意に変形することができる。
【００３０】
本発明の脳作用マスクは、使用者が装着した際に該使用者の鼻を覆うマスク本体部を有し、鼻から吸引された有効成分が使用者の脳に機能的に作用する脳作用マスクであって、  該マスク本体部の略中央部には袋状部分が存在し、該袋状部分は、「上記有効成分を含有する液体が含浸された液体保持部材」が収納できるようになっており、
該「有効成分を含有する液体」が、植物を５０℃以下に維持しながら減圧して固液分離して得た水性植物エキスを含有するものであり、
該液体保持部材が、繊維を圧縮成形したものであって、該袋状部分に交換収納ができるようになっているものであることを特徴とする。
【００３１】
＜固液分離方法と水性植物エキス＞
本発明の脳作用マスクは、「『植物を固液分離して得た水性植物エキス』を含浸させた液体保持部材」を収納できるようになっており、本発明の脳作用マスクを装着した使用者が、該液体保持部材に含浸された該水性植物エキスに含有されている有効成分を経鼻的に吸引することで、該使用者の脳に該有効成分が機能的に作用するようになっている。図６に、本発明の脳作用マスクの作製について示す。
【００３２】
植物の固液分離については、該植物の何れの組織を固液分離の対象としてもよいが、植物の花、花弁、葉、茎等を対象（原料）として固液分離されたものが好ましい。本発明で「植物」とは、花、葉等植物の一部だけのものも含まれる。
また、固液分離に用いられる対象は、乾燥をしていないもの（生のままのもの）、ある程度乾燥したものの何れでもよいが、乾燥をしていないもの（実質的に生のままのもの）が、細胞水を十分に含有し、固液分離したときに液体が豊富に取得でき、変質もないために好ましい。
【００３３】
本発明における植物の種類は特に限定はないが、一般にハーブと言われているもの、花や葉に香りがあるもの等が好ましい。より好ましくは、サクラ、ラベンダー又はレモングラスである。特に好ましくは、サクラの花若しくは葉；ラベンダーの花；又は；レモングラスの葉である（図６）。
【００３４】
本発明における水性植物エキスは、植物自体を「５０℃以下に維持しながら減圧して固液分離して得る」ことが必須である。以下、上記括弧内の方法を、「低温真空固液分離法」と略記することがある。
上記固液分離の際の植物自体の温度は、５０℃以下であることが必須であるが、１０℃
以上４５℃以下の温度を少なくとも主たる固液分離中は維持することが好ましく、より好ましくは２０℃以上４０℃以下であり、特に好ましくは３０℃以上３８℃以下である。ここで、「主たる固液分離中」とは、最終的に得られる液体の７０質量％以上が得られる期間を言う。
【００３５】
この範囲であれば、前記した本発明の効果を奏し易い。特に、下限が上記以上であると、固液分離の時間を短くできるので、有効成分の分解・逸失が抑制され、また、不必要な時間のロスがなく経済的である。また、有効成分を十分に固液分離可能である。
一方、上限が上記以下であると、有効成分の熱による変性や分解を防止しつつ有効成分を固液分離できる。植物（の一部分）を固液分離するにあたり、温度が高過ぎると植物細胞内の細胞水中の有効成分が変質する場合がある。
植物中の液体の蒸発によって該植物の温度が低下するが、該温度低下を外部からの加熱で上記範囲に収まるように上げることが好ましい。
【００３６】
低温真空固液分離法を用いる場合、上記固液分離の減圧度は特に限定されないが、１０１．３ｋＰａ（１気圧）に対し、８０ｋＰａ以上低い圧力を維持しつつ行うことが好ましい。より好ましくは、１０１．３ｋＰａ（１気圧）に対し、８５ｋＰａ以上低い圧力を維持しつつ行うことであり、特に好ましくは、９０ｋＰａ以上低い圧力であり、更に好ましくは、９５ｋＰａ以上低い圧力である。
また、１ｋＰａ［１気圧（１０１．３ｋＰａ）に対して、−１００．３ｋＰａ］以上１０ｋＰａ［１気圧（１０１．３ｋＰａ）に対して、−９１．３ｋＰａ］以下に維持しつつ行うことが好ましい。より好ましくは２ｋＰａ［１気圧に対して、−９９．３ｋＰａ］以上９ｋＰａ［１気圧に対して、−９２．３ｋＰａ］以下に維持しつつ行うことであり、特に好ましくは３ｋＰａ［１気圧に対して、−９８．３ｋＰａ］以上８ｋＰａ［１気圧に対して、−９３．３ｋＰａ］以下に維持しつつ行うことである。
【００３７】
圧力が上記範囲であると（減圧度が上記範囲であると）、水の沸点を勘案し低い温度での有効成分の固液分離が可能になるので、有効成分の熱による変性・分解が防止でき、十分に有効成分を固液分離できる。また、固液分離時間を短くできるので、有効成分の分解・逸失が抑制され、また、不必要な時間のロスがなく経済的である。
該固液分離は、「外部からの加熱」と「細胞水等の蒸発熱による冷却」で、植物が前記の温度範囲を維持するようにしてなされることが、本発明の前記効果を得るために好ましい。低温真空固液分離法の場合、水の蒸発熱で植物を冷却して温度範囲を前記範囲に維持するために、排気容量が大きい必要がある。現実的な「排気容量と減圧度の関係」から、減圧度（特に圧力の下限）は上記範囲が好ましい。
【００３８】
植物を固液分離すると、固体、油性液体及び水性液体が得られる。本発明においては、このうち水性液体、すなわち水性植物エキスを使用する。なお、油性液体は精油と言われることもあり、通常は比重が軽いので固液分離された液体の上層に浮く。その場合は下層の水相を使用する。なお、油性液体（精油等）が得られないこともある。
本発明における「水性植物エキス」には、精油とも言われる油性成分が溶解していて水溶液として均―になっている場合も、少量の油性成分が上層に分離していても撹拌等によって均―な水性液体（本発明ではこれも「水性植物エキス」と言う）として使用することができる。
【００３９】
本発明における固液分離においては、低温真空固液分離法を用いると共に、水を含め抽出溶媒を使用しないことが、本発明の前記効果を得るために好ましい。
本発明における「水性植物エキス」は、主に植物の細胞水であり、従って、全て植物と言う天然物由来のものである。また、低温真空固液分離法で固液分離すると熱による変質が起らないので、「水性植物エキス」は完全に天然物（細胞水）のままとすることが可能である。
また、該細胞水は、主として植物の細胞膜を通過したものであることが好ましい。本発明において「細胞水」とは、植物細胞に含まれる細胞内液のことである。
【００４０】
ここで、固液分離に供する植物の形態については、低温真空固液分離法に用いる装置に投入し易く、該装置に適応する形態であれば特に限定はないが、適度に切断されていることも好ましく、該装置内で切断しながら減圧して固液分離することも好ましい。
【００４１】
低温真空固液分離法では、溶媒抽出法における有機溶媒や水；水蒸気蒸留法における水蒸気；超臨界抽出法における二酸化炭素；等の媒体を実質的に使用せず、上記した比較的低温で減圧して直接固液分離することが、溶媒が残留し得ないので天然成分だけの液が得られる、溶媒の臭いが残らない、含有成分が熱分解していない、含有成分が散逸しない、細胞水が散逸しないので大量の液が得られる、残澄（固体側）も有効利用することができる；等の点から好ましい。
【００４２】
なお、「水性植物エキス」には、極めて多くの有効成分が含有されているところ、それらの成分を同定すること、それらの成分から本発明の効果を奏する有効成分を同定することは、不可能であるか又はおよそ実際的でない（「不可能・非実際的事情」がある）。従って、本発明における「水性植物エキス」については、製造方法（固液分離方法）で特定する以外に方法がない。
【００４３】
＜＜固液分離方法と装置＞＞
図１８は、固液分離に用いられる装置の一形態を示す概略図である。なお、本発明に用いられる装置は図１８に限定されるものではない。
容器２１は、植物４１を収容し、所定の温度範囲を維持しながら減圧して固液分離する容器であり、冷却器２２は、容器２１から出る蒸気を冷却する装置である。
容器２１の周囲には、加熱装置２４があり、容器２１の下部には、固液分離後の固体を取り出す排出口２６が設けられている。
容器２１の上部には、吸引される蒸気の排気口２５が設けられ、排気口２５には、前記冷却器２２につながる配管２７が接続されている。
【００４４】
容器２１には真空計３２及び温度計３３が設けられており、固液分離工程における容器内の圧力（減圧度）と温度を測定し、固液分離時の植物４１の温度も間接的に測定する。また、固液分離の開始と終了を判定する。
【００４５】
減圧装置３５を稼働させると、容器２１内の「植物に含まれる（有効）成分の蒸気」及び「細胞水の主成分である水の蒸気（水蒸気）」は、配管２７を通して吸引され、冷却器２２に導入され液化されて、回収液となって回収槽３４内に溜まる。
【００４６】
回収槽３４内に、回収液（油層４２及び水層４３）が所定量まで貯まったら、減圧装置３５での吸引を停止し、回収液を回収する。
殆どが水性の場合は全て回収し、油層４２（精油）が分離している場合は、要すれば静置して分液をして油層４２を取り除いてもよいし、油層４２（精油）が少量の場合は均―に水層４３に微分散若しくは溶解させて全て回収してもよい。このようにして、水層４３を、「水性植物エキス」として得る。
なお、固液分離された固体４４は、容器２１の下から取り出す。
【００４７】
＜水性植物エキス含有する「有効成分を含有する液体」＞
本発明においては、マスク用途として好適に使用できる点、脳機能の活性化に有効である点等により、固液分離液としては、水性液体（水層、水相、水性画分）を使用することが好ましい（図６、図１８）。後述する液体保持部材に含浸させる液体としては、上記のようにして得られた水性液体（細胞水を主成分とする）に、希釈用としての水や各種添加剤を配合してもよく、植物からの精油を配合することも本発明から排除はされないが、水以外の添加物を配合しないことが、全て天然物由来にできることから好ましい。更に、希釈用の水も外部から添加しないことが、上記した理由からや、本発明の効果を得るためには希釈より含浸量（使用量）を減らす方が好適である等の理由から特に好ましい。
【００４８】
「水性植物エキス」は、油性液体（精油等）に比べて、１回の固液分離工程でより多くの量を回収することができる。また、油性固液分離液（精油等）に比べて匂いが薄いが、比較的心地よく感じるレベルの匂いであり、マスクとして医療現場や家庭で使い易い。また、油性液体の場合、希釈する際はエタノール等の有機溶媒を用いることになり、マスクにしたときに該希釈溶剤の吸入が問題になる場合がある。水性成分であれば水で希釈することができるので、安全であることに加え、水性であれば、特に本発明における特定の液体保持部材に浸み込ませて好適に使用できる。すなわち、含浸液（水性植物エキス）と液体保持部材との組み合わせに相乗効果がある。
【００４９】
＜脳作用マスク＞
本発明の脳作用マスクにおけるマスク本体部の略中央部には袋状部分が存在し、該袋状部分は、「上記有効成分を含有する液体が含浸された液体保持部材」が収納できるようになっている（図１、２、５）。該袋状部分の底部が、該マスク本体部の略中央部に存在していることが好ましい（図１）。
以下、「有効成分を含有する液体」、「水性植物エキスを含有する液体」を単に「液体」と略記することがある。
【００５０】
＜＜マスク本体部＞＞
該マスク本体部の大きさ、材質、形態は、特に限定されず、該袋状部分以外については、汎用されているマスクの大きさ、材質、形態とすることができる。
該材質は、天然繊維であっても、合成繊維であっても、それらの複合、組み合わせ等であってもよい。形態は、織物、編物、レース、フェルト、不織布、紙、通気フィルム等の何れでもよく、それらの異種又は同種のシート（布等）が複数積層されたものでもよい。
【００５１】
本発明の脳作用マスクにおいては、特に限定はされないが、上記マスク本体部の両脇に、更に左右一対の耳掛け部を有することが、使用者の両耳に引っ掛けて使用できるために好ましい。
【００５２】
＜＜袋状部分＞＞
袋状部分は、マスク本体部の略中央部に存在するが、使用者が脳作用マスクを装着した際に、該使用者の鼻の穴の略真上に位置するようにマスク本体に設けることが好ましい。従って、略中央部と言っても略中央部上側近傍に袋状部分の底部が来るようにすることがより好ましい（図１）。
【００５３】
袋状部分が、マスク本体部の略中央部に存在し、装着した際に鼻の穴に近い方が、液体保持部材に含浸されている水性植物エキスが無駄にならない。
更に、本発明における液体保持部材は、後述するように保水性に優れているため、マスク本体において液体を横方向に広範囲に染み出させないで、液体保持部材の直上近傍だけに留めることができるため、かかる液体集中効果は、「袋状部分がマスク本体部の略中央部に存在し、更には、装着した際に鼻の穴に近くなるように存在すること」と組み合わせることでより顕著になる。
【００５４】
上記袋状部分は、その上部に上記液体保持部材の収納と取出しができるような開口部を有し、該開口部の横幅が該袋状部分の底部の横幅以上の長さを有することが好ましい（図１、２）。上記「該開口部の横幅が該袋状部分の底部の横幅以上の長さを有する」には、図１（ａ）（ｂ）のように、底部の横幅がほぼ無くて、袋状部分が略逆三角形をしている形態も、図１（ｄ）のように、開口部の横幅と底部の横幅が等しくて、袋状部分が略長方形をしている形態も含まれる。また、図１（ｅ）（ｆ）のように、袋状部分の縁が曲線になっているお椀状のものも含まれる。
このような形状だと、液体保持部材の収納及び取出しが容易であり、「脳作用マスクの使用者」、「使用者の看護人等の付き添い人」等が、装着前に容易に袋状部分に液体保持部材を収納することができる。
該袋状部分の形状は、上記要件を満たせば特に限定はないが、逆三角形又は逆台形であることが、収納のし易さ、縁の加工の容易さ等の点から特に好ましい（図１（ａ）（ｂ）（ｃ）、図２（ａ））。
【００５５】
上記袋状部分のマスク本体部の厚さ方向の位置、すなわち、マスク本体部の外面（大気側）、内面（顔側）、その中間（マスク本体部の中層）の何処に位置させるかについては、特に限定はないが、内面（顔側）であることが、液体保持部材の収納と取出しが容易である、鼻の穴（顔）に近いので効果的である、外から見えない等の点から好ましい（図２（ｄ）（ｅ））。
該袋状部分の縁の形成は、液体保持部材が落ちないように止まっていれば特に限定はないが、加圧、縫い合わせ、接着、折り紙等で形成；袋状部材（を有する布等の部材）をマスク本体部に挟み込み形成；等が挙げられる。これらのうち、少なくとも袋状部分のサイド（左右）は縫い合わせであることが好ましい（図２（ｃ）（ｄ）（ｅ））。また、袋状部分の底部は、マスク本体部が蛇腹形状になっている場合には、マスク本体部の該蛇腹部分を利用してもよい（図２（ｄ）（ｅ））。
【００５６】
該袋状部分の材質は、特に限定はされず、前記した「袋状部分以外のマスク本体部」の材質と同様のものが特に好適に使用できる。また、液体に含有される有効成分がより好適に鼻から吸引できるような材質に、前記したマスク本体部の材質から代えてもよい。
【００５７】
＜＜液体保持部材＞＞
本発明の脳作用マスクは、液体保持部材を上記袋状部分に交換収納して使用する。すなわち、脳作用マスクの使用前に、該液体保持部材を該袋状部分に収納し、使用後は、該液体保持部材を該袋状部分から取り出す。取り出した液体保持部材は、廃棄してもよいし、新たな液体を浸み込ませて再利用してもよいが、廃棄することが好ましい。また、使用後は、該液体保持部材の収納されている脳作用マスクごと廃棄してもよい。
該液体保持部材には、最初から液体が含浸されていてもよいし（液体が含浸された状態で販売・流通・入手等されてもよいし）、使用者が、脳作用マスクの使用前に、別途、入手・購入した液体を該液体保持部材に含浸させてもよい。
これらのうち、液体が含浸されている液体保持部材を入手し、使用後は、液体保持部材を廃棄して、新たな「液体が含浸されている液体保持部材」を袋状部分に収納して使用することが特に好ましい。
【００５８】
１回の使用、すなわち脳作用マスクの使用者による１回の装着の時間は、特に限定はないが、通常３０秒以上２４時間以下、好ましくは２分以上１２時間以下、より好ましくは１５分以上６時間以下、特に好ましくは１時間以上３時間以下である。該時間が短過ぎると、効果がない場合、経済的でない場合等があり、一方、該時間が長過ぎると、有効成分や液体が蒸発して装着していることが無駄になる場合、使用者が長時間でうっとうしい場合等がある。
【００５９】
該液体保持部材は、上記したように、マスク本体部の袋状部分に交換収納ができるようになっているものであるが、更に、繊維を圧縮成形したものであることが必須である。
「繊維を圧縮成形したもの」とは、繊維を単に圧縮させて成形したものである。ここで「繊維を圧縮成形したもの」には、後記に具体例を記したような、単に圧縮成形したものが該当し、例えば、濾紙、不織布、紙等のように、接着剤等の媒体を使用したり、強く圧縮成形したりして、該媒体や圧縮の強さに主に依存して成形したものは含まれない。
【００６０】
本発明における液体保持部材を用いず、例えば濾紙や不織布を用いた場合、該液体保持部材に含浸された液体がマスク本体部に染み出てきて、図５（ｃ）に例示したように、マスク本体部の横方向に広範囲に広がる、すなわち該液体保持部材の直上近傍のみならず広範囲に濡れることになる。図５（ａ）（ｂ）（ｃ）において、点線は、液体がマスク本体部に染み出てきた範囲を示す。
一方、本発明における液体保持部材を用いると、同一種類同一体積の液体を同一体積同一形状の液体保持部材に含浸させた場合であっても、該液体のマスク本体部への染み出しが抑制され、図５（ａ）（ｂ）に点線で例示したように、マスク本体部の横方向に広範囲に広がらず、すなわち該液体保持部材の直上近傍だけが濡れるに止まることになる。
【００６１】
液体による濡れ（染み出し）が、マスク本体部の横方向に広範囲に広がらないことによって、水性植物エキス（の有効成分）が含有された液体が無駄にならずに効率的に使用でき、液体の染み出し（濡れ）による取り扱いの厄介さがなくなり、濡れた部分に付着する物質等によって脳作用マスクが不潔にならない。
【００６２】
該液体保持部材の形状としては、特に限定はないが、図３、４に示したようなものが挙げられる。具体的には、球状（図３（ｂ）（ｃ）、図４（ｂ）（ｃ）（ｄ））、楕円球状（図３（ｅ））、直径が高さより小さい円柱状（図３（ａ）、図４（ａ））、直径が高さ（長さ）より大きい円柱状（図３（ｄ））、平板状（図３（ｆ））等が挙げられる。中でも、球状又は直径が高さ（長さ）より小さい円柱状が、袋状部分に収納して収まりが良い、製造が容易である等の点から好ましい。特に好ましい形状は、同様の点から、直径が高さ（長さ）より小さい円柱状である（図３（ａ）、図４（ａ））。この形状の場合、該円柱における高さ（長さ）が直径の１．３倍以上５倍以下がより好ましく、２倍以上４倍以下が特に好ましい。
【００６３】
形状を図３（ａ）、図４（ａ）に示したような「直径が高さより小さい円柱状」とし、更にその側面に液体を難透過性にする処理を施したものは、前記した「液体のマスク本体部への染み出しが抑制され、液体による濡れが該液体保持部材の直上近傍だけに制限される」と言った効果が特に発揮される。
すなわち、本発明は、上記液体保持部材が、円柱状の形状を有するものであって、該円柱の側面が液体難透過性の処理がなされているものである上記の脳作用マスクであることが好ましい。
【００６４】
このような「側面が液体難透過性である液体保持部材」は、長い円柱状のもの（ロープ状のもの）の側面全体に、液体が難透過性になる処理を施した後、短く切り出して、図３（ａ）に示したような「直径が高さより小さい円柱状」とすれば、切断面から有効成分が出るが、側面からは液体が出難くなり、より上記した「濡れが液体保持部材の直上近傍だけに制限されると言った効果」を発揮するようになる（図５（ａ））と共に、該処理がまとめてできるので製造も簡略化される。
かかる「円柱状の側面を液体難透過性にする処理」としては、特に限定はないが、液体で膨潤し難く、天然物由来のものが好ましい。例えば、後述するフィブリル化セルロースの付与が挙げられる。
【００６５】
上記繊維としては、特に限定はなく、綿（木綿やコットンと同義）、ウール等の天然繊維；レーヨン、人絹等の（天然物の）再生繊維；ポリエステル、ポリアミド等の化学繊維；それらの混紡；等が挙げられる。より好ましくは天然繊維であり、特に好ましくは綿（木綿、コットン）であり、綿１００％が最も好ましい。
【００６６】
上記液体保持部材は、上記「有効成分を含有する液体」を含浸させて、上記袋状部分に交換収納ができるように、その体積が０．３ｃｍ３以上３ｃｍ３以下になっているものであることが、適量の液体を含浸できる点から好ましい。
大き過ぎると、水性植物エキスやそこに含まれる有効成分が多過ぎて、無駄になる場合；作用が強くなり過ぎる場合；マスク本体の袋状部分が膨らんで使用し難い場合や外観が悪くなる場合；液体の染み出しが多くなる場合；等がある。一方、小さ過ぎると、水性植物エキスやそこに含まれる有効成分が少な過ぎて作用が弱くなり過ぎる場合や持続時間が短くなる場合；収納や取り出しが難しくなる場合；等がある。
液体保持部材の体積は、より好ましくは０．５ｃｍ３以上２．５ｃｍ３以下であり、特に好ましくは０．６ｃｍ３以上２ｃｍ３以下である。
【００６７】
上記液体保持部材は、具体的には、メイク直しや肌の手入れに使用されるコットン球（コットンボール、綿球、香り玉等と呼ばれることもある）、歯科医師が使用するデンタルコットン、医師や歯科医師が使用する止血棉、マーブルパット、パール綿球（オオサキメディカル（株）登録商標）等が挙げられる。
【００６８】
＜＜＜液体保持部材のフィブリル化セルロース付与＞＞＞
上記液体保持部材は、フィブリル化セルロースを付与してなるものであることが好ましい。該フィブリルは、所謂「ミクロフィブリル」であることが好ましく、該フィブリル化セルロースは、所謂ミクロフィブリル化セルロースであることが好ましい。
「フィブリル」とは、繊維を構成している微小な単位であり、繊維軸に対して主に螺旋状に配列している。また、本発明において、「フィブリル化」と言う状態は、セルロース繊維から成るパルプを、例えば叩解（こうかい）等の操作をすることによって、セルロース繊維を形成しているフィブリルをほぐし、該セルロース繊維の表面に（ミクロ）フィブリルを（毛羽立たせる等して）存在させたような状態である。限定はされないが、「フィブリル化」は、化学処理を行なわず、物理処理のみ行うことが好ましい。
【００６９】
中でも、上記液体保持部材が、繊維を圧縮成形したものにフィブリル化セルロース分散液を塗布してなるものであるか、又は、フィブリル化セルロース分散液を塗布してなる繊維を圧縮成形したものであることがより好ましい。更に、ここで該「塗布」としては噴霧塗布が均一性の点から特に好ましい。
前者としては、繊維を圧縮成形してなる液体保持部材の表面にフィブリル化セルロースが付与されたものが挙げられ、後者としては、繊維の表面にフィブリル化セルロースが付与されたものが挙げられる。特に好ましくは、液体の保持性が高い点等から前者である。
また、前述したように、円柱状の液体保持部材の側面に、フィブリル化セルロースが付与されて、液体難透過性の処理がなされているものが特に好ましい。
【００７０】
フィブリル化セルロースを付与した繊維を含有させることによって、更には、繊維を圧縮成形したものにフィブリル化セルロース分散液を塗布してなる液体保持部材とすることによって、フィブリル化セルロースを使用しないものに比べ１０％から１５％含浸させる液体の体積が少なくても、同期間（同じ装着時間）同一の効果を得られることを確かめている。
言い換えれば、フィブリル化セルロースを使用しない場合に比較して使用した場合では、有効成分や液体の蒸発が抑制され、液体保持部材に徐放性が付与されるので、１回の装着に必要な液体の量を減少させることができる。また、急激な蒸発が抑制され、徐々に吸引されるようになるので、使用者に優しいものとなる。
【００７１】
特に、円柱状の液体保持部材の側面に、フィブリル化セルロースが付与されて、液体難透過性の処理がなされている液体保持部材の場合には、側面から液体が出ずに、上面（上底）と下面（下底）からしか液体が出ないので、上記徐放性が達成され、マスク本体部の液体による濡れ（染み出し）が抑制される（図５（ａ））。
【００７２】
フィブリル化セルロースを付与することによって、同一種類同一体積の液体を同一体積同一形状の液体保持部材に含浸させた場合であっても、該液体のマスク本体部への染み出しが更に抑制され、本発明における液体保持部材同士であっても、図５（ｂ）に比べ図５（ａ）のように、マスク本体部の横方向への広がりが更に抑制され（広範囲に広がらず）、すなわち該液体保持部材の直上近傍だけが濡れることになる。液体保持部材にフィブリル化セルロースを付与することによって、液体保持効果が向上し、水性植物エキスを含有する液体を、マスク本体部の「鼻の穴の上に位置する部分」のみと言った狭範囲に集中させることができる。
【００７３】
液体による濡れ（染み出し）が、マスク本体部の横方向に広範囲に広がらないことによって、水性植物エキス（の有効成分）が含有された液体が無駄にならずに効率的に使用でき、液体の染み出し（濡れ）による取り扱いの厄介さがなくなり、濡れた部分に付着する「ゴミ等の物質」によって脳作用マスクが不潔にならない。
【００７４】
＜＜プロダクトバイプロセス発明について＞＞
なお、「液体保持部材」の態様は、極めて多くの要素から成り立っているところ、それらの形状、パラメーター等で特定することは、不可能であるか又はおよそ実際的でない（「不可能・非実際的事情」がある）。従って、本発明における（特に）好ましい「液体保持部材」については、圧縮成形；（形状の表現でもあるが行為の表現とした場合の）フィブリル化；フィブリル化セルロース分散液を（噴霧）塗布；と言った製造方法で特定する以外に方法がない。
【００７５】
＜＜液体の液体保持部材への含浸量等＞＞
１個の液体保持部材への液体の含浸量は、植物の種類、有効成分の脳に対して作用する程度（効果）、液体保持部材の大きさ等に依存することもあって、特に限定はないが、０．１ｍＬ以上１０ｍＬ以下が好ましく、０．３ｍＬ以上５ｍＬ以下がより好ましく、１ｍＬ以上２ｍＬ以下が特に好ましい。
また、液体保持部材の体積１ｃｍ３あたりに対して、０．０８ｍＬ／ｃｍ３以上８ｍＬ／ｃｍ３以下が好ましく、０．２５ｍＬ／ｃｍ３以上４ｍＬ／ｃｍ３以下がより好ましく、０．８ｍＬ／ｃｍ３以上１．６ｍＬ／ｃｍ３以下が特に好ましい。
【００７６】
＜ＮＩＲＳによる脳活性化と脳沈静化の測定＞
本発明の脳作用マスクは、近赤外分光分析法（ＮＩＲＳ）を用いて、非侵襲的に脳活動を測定して設計されることが好ましい。図７、図８にその原理と測定法を示す。
脳が活動すると、血液中の酸素化ヘモグロビンは神経細胞に酸素供給する。ＮＩＲＳは、近赤外光を用いてその変化（脳表面の酸素状態変化）を捉える。
図７に示したように、頭表から近赤外光を脳内に照射し、大脳皮質で吸収・散乱を起こした光を、頭表上の光ファイバで集光・検出し、この検出光の変化で脳活動（脳活性化と脳沈静化）を測定する。
【００７７】
実際の測定方法を図８に示す。図８において、Ａ、Ｂ、Ｃは以下である。
Ａ：本発明で用いた機器と測定（装着）方法を示す。
Ｂ：ＮＩＲＳで測定した前頭葉の活動イメージ例を示す。
Ｃ：脳活動、脳内の神経活動の例、上に行くほど赤く活性の上昇（活性化）を示し、下に行くほど青く活性の低下（沈静化）を示す。
図８の例では、前頭前野中央部で神経活動の低下（脳沈静化）、それ以外の領域で神経活動の低下上昇（脳活性化）が認められている。
【００７８】
図８（Ｂ）及び（Ｃ）のそれぞれの右側にある縦長のメジャー（尺度）は、上に行くほど赤く（活性化）、下に行くほど青い（沈静化）。図８は白黒であって色の区別が付かないため、図中に指示線を記載した。図９〜１２でも同様に指示線で色を示した。
【００７９】
＜脳作用マスクの用途＞
本発明の実施例等から、本発明における特定の固液分離方法で得られた水性植物エキスは、脳機能を活性化又は沈静化させることが分かった（図９〜１３）。従って、該水性植物エキスを含浸させた液体保持部材を有する脳作用マスクは、脳活性化用又は脳沈静化用として有用である（図９〜１３）。
更に具体的には、認知症、鬱症状、不眠症、食欲不振症状、又は、ストレス症状の治療若しくは予防用として有用である（図９〜１７）。その中で、ストレス症状の治療若しくは予防用に関しては図１４、１５も参照；食欲不振症状の治療若しくは予防用に関しては図１６、１７も参照。
上記を言い換えれば、本発明は、脳活性化用又は脳沈静化用マスクとして有用であり、更に具体的には、認知症、鬱症状、不眠症、食欲不振症状、又は、ストレス症状の治療若しくは予防用マスクとして有用である。
【００８０】
本発明の脳作用マスクは、コルチゾール分泌抑制用としても有用である（図１４、１５）。すなわち、本発明は、コルチゾール分泌抑制用マスクとして有用である。
本発明の脳作用マスクをコルチゾール分泌抑制用マスクとして用いると、実際に、唾液中のストレスホルモンであるコルチゾールの分泌が抑制されることが確かめられている（図１５）。
【００８１】
図１４に、抗ストレスと、血液又は唾液中のコルチゾール分泌についての相関を示す。
ストレスがあると視床下部から副腎皮質刺激ホルモン放出ホルモン（ＣＲＨ）が下垂体前葉に作用し、下垂体前葉からは、副腎皮質刺激ホルモン（ＡＣＴＨ）が副腎皮質に作用する。その結果、コルチゾールが分泌され、血液又は唾液中のコルチゾールが増加する。
従って、唾液中のコルチゾールの減少が見られれば、ストレスがないときと同様の状態であると言える。
本発明の脳活性化用マスクを使用すると、唾液中のコルチゾールが減少した（図１５参照）。このことは、レモングラス等の植物の水性植物エキスを吸引すると、抗ストレス作用があることを示している。
【００８２】
本発明の脳作用マスクに使用される水性植物エキスをラットに対して使用すると、体重の増加速度が上昇した（図１７参照）。従って、本発明の脳作用マスクは、食欲不振症状の治療若しくは予防用マスクであると言える。
【実施例】
【００８３】
以下に、実施例及び比較例を挙げて本発明を更に具体的に説明するが、本発明は、その要旨を超えない限りこれらの実施例に限定されるものではない。
【００８４】
調製例１
＜低温真空固液分離法によるレモングラスからの水性植物エキスの調製＞
レモングラスを、図１８に示した装置を用いて、抽出溶媒を添加せず固液分離して水性植物エキスを得た。
固液分離条件は以下であった。
（１）植物の温度：３０〜４０℃（主として３５℃）
（２）容器内の設定温度：３５〜４０℃
（３）圧力：１０１．３ｋＰａ（１気圧）に対し、９３〜９７ｋＰａ低い圧力
【００８５】
回収槽３４に溜まった回収液は、均一な水層（水相）４３のみであった。その液を目的の水性植物エキスとした。なお、若干の油性成分は水相に溶解している可能性はある。
【００８６】
調製例２
＜低温真空固液分離法によるサクラ、ラベンダー、ランからの水性植物エキスの調製＞
レモングラスに代えて、サクラ、ラベンダー、ランを用いた以外は、調製例１と同様にして、水性植物エキスをそれぞれ調製した。
【００８７】
調製例３
＜脳作用マスクの調製＞
図６に示したように、調製例１及び調製例２で調製された、レモングラス、サクラ、ラベンダー又はランからの低温真空固液分離法による水性植物エキスを、希釈せずに「液体」を調製し、該「液体」それぞれ１．８ｍＬを液体保持部材に含浸させた。
ここで使用した液体保持部材は、体積１．２６ｃｍ３であり、綿１００％の繊維を圧縮成形したものであり、図３（ａ）又は図４（ａ）に示したような円柱状をしたものであった。
該液体保持部材は、フィブリル化セルロースの水分散液を、該液体保持部材の表面に噴霧塗布したものであり、フィブリル化セルロースがその側面に付与されたものであった。
【００８８】
「不織布でできた汎用の市販のマスク」のマスク本体部の厚さ方向の最内面（顔面側の表面）に、図１（ａ）（ｃ）、図２（ｃ）（ｄ）（ｅ）に示したような形状（逆三角形又は逆台形）の袋状部分を該マスクの材質と同一の材質でそれぞれ形成した。
更に、該マスク本体部の両脇には、左右一対の耳掛け部を形成させた。
上記した「液体を含浸させた液体保持部材」を、上記袋状部分に図５に示したように、それぞれ収納して、脳作用マスクをそれぞれ調製し、下記の評価に用いた。
【００８９】
調製例４
＜脳作用マスクの調製＞
調製例３の液体保持部材に代えて、綿１００％の繊維を圧縮成形したコットン球（コットンボール、綿球とも言う）を用いた以外は、調製例３と同様にして脳作用マスクをそれぞれ調製した。なお、該コットン球の体積は、調製例３の液体保持部材の体積と同一であった。
【００９０】
調製例５
＜脳作用マスクの調製＞
調製例３の液体保持部材に代えて、「調製例３の液体保持部材においてフィブリル化セルロースを付与していない液体保持部材」を用いた以外は、調製例３と同様にして脳作用マスクをそれぞれ調製した。なお、該液体保持部材の体積は、調製例３の液体保持部材の体積と同一であった。
【００９１】
調製例６
＜脳作用マスクの調製＞
調製例３の液体保持部材に代えて、オオサキメディカル（株）製の歯科医師用の「デンタルコットン、品番３４５０６」を用いた以外は、調製例３と同様にして、脳作用マスクをそれぞれの植物で（それぞれの水性植物エキス）で調製した。
該液体保持部材は、図３（ａ）に示したような、直径８ｍｍ長さ２５ｍｍの円柱状のものであり、その体積は、調製例３の液体保持部材の体積１．２６ｃｍ３と同一であった。
液体保持部材は、図３（ａ）の円柱の側面にフィブリル化セルロースの水分散液を噴霧塗布した後に乾燥させたものである。
調製例３と同様に、図１（ａ）又は（ｃ）に示したような形状（逆三角形又は逆台形）の袋状部分の中に、上記で得られた液体保持部材を収納した。
【００９２】
比較調製例１
＜マスクの調製＞
「液体」を液体保持部材に含浸させなかった以外は調製例３と同様にしてマスクを調製した。
【００９３】
比較調製例２
＜マスクの調製＞
調製例３の液体保持部材に代えて、同体積の不織布又は濾紙を畳んだものを使用した以外は、調製例３と同様にして脳作用マスクをそれぞれ調製した。すなわち、調製例３と同一液体を同体積だけ含浸させた。
【００９４】
実施例１
＜ＮＩＲＳによる非侵襲的脳機能の測定（脳の活性化と沈静化の測定）＞
調製例３で得られた脳作用マスクを、１０名の被験者について、３０分間装着してもらい、図８に示したように、主に前頭葉に関してＮＩＲＳ測定を行った。
なお、この脳作用マスクを、図９〜１２では、それぞれ、「レモングラスマスク」、「サクラマスク」、「ラベンダーマスク」、「ランマスク」と略記する。
【００９５】
対照として、「マスク未装着」を評価した。
また、対照として、比較調製例１で得られた「液体を液体保持部材に含浸させなかったマスク」を同様に３０分装着してもらい、その後、ＮＩＲＳ測定を行った。このマスクとしては、「不織布でできた汎用の市販のマスク」を用いているので、図９〜１２では「市販のマスク」と略記する。
【００９６】
結果を図９〜１２に示す。
なお、図９〜１２では、赤部分が活性化、青部分が沈静化であるが、白黒であって赤と青の区別が付かないため、それぞれの図中に指示線を記載した。右側にある縦長のゲージは、上に行くほど赤く（活性化）、下に行くほど青い（沈静化）。
前頭葉には、上前頭回、中前頭回、下前頭回、中心前回、前頭極、直回、前部帯状回、一次運動野、前頭前野、前頭眼窩野等があるが、それぞれの場所で、脳活性化（赤、上）、又は、脳沈静化（青、下）が観察された。
【００９７】
図１３に上記結果をまとめた表を示す。図１３における「活性化」と「沈静化」は、それぞれの植物で、前頭葉全体を見ての平均的評価である。
全体で見ると、レモングラス、サクラ、ラベンダーで、脳沈静化より脳活性化が優位であった。また、ランでは、「変化なし」が７名と多かったが、脳沈静化も見られた。
また、前頭葉の上記した更なる特定の場所毎に見ると、脳沈静化の場所もあり得て、更に、レモングラス、サクラ、ラベンダー、ラン以外の植物で、前頭葉全体として「脳沈静化」の植物もあり得る。
【００９８】
脳活性化により、認知症、鬱症状、食欲不振症状等の治療又は予防に効果があることが明らかであり、脳沈静化により、不眠症、ストレス症状等の治療又は予防に効果があることが明らかである。
【００９９】
実施例２
＜液体保持部材からの液体の染み出しの測定＞
調製例３で得られた脳作用マスク（調製例１及び調製例２で調製した液体を調製例３記載の液体保持部材に含浸）を、装着から１０分後に、液体保持部材から液体が染み出し、マスク本体部においてどのくらい広がったかを物差しで測定した。
【０１００】
その結果、図５（ａ）のように、液体の染み出しが殆どなく、液体による濡れが液体保持部の直上近傍だけであり、濡れの広がりもなかった。図５（ａ）において濡れている部分の直径は、平均で２．５〜３．２ｃｍであった。なお、図５（ａ）は若干の染み出しがあるが、本発明の液体保持部材を用いると、染み出しが殆どない（図５（ａ）より少ない）ようにもできた。
なお、この結果は、レモングラス、サクラ、ラベンダー及びランで同一であり、調製した袋状部分の形状（逆三角形又は逆台形）で同一であった。
【０１０１】
実施例３
＜液体保持部材からの液体の染み出しの測定＞
調製例４で得られた脳作用マスク（液体をコットン球（コットンボール）の液体保持部材に含浸）を、装着から１０分後に、液体保持部材から液体が染み出し、マスク本体部においてどのくらい広がったかを物差し測定した。すなわち、実施例２と同様に測定した。
【０１０２】
その結果、図５（ｂ）のように、液体の染み出しが少しあったが（濡れの広がりがあった）が問題になるレベルではなかった。図５（ｂ）において濡れている部分の直径は、平均で３．７〜４．４ｃｍであり、実施例２の結果よりは悪かった。
なお、この結果は、レモングラス、サクラ、ラベンダー及びランで同一であり、調製した袋状部分の形状（逆三角形又は逆台形）で同一であった。
【０１０３】
実施例４
＜液体保持部材からの液体の染み出しの測定＞
調製例５で得られた脳作用マスク（液体を調製例３の液体保持部材においてフィブリル化セルロースを付与していない液体保持部材に含浸）を、装着から１０分後に、液体がマスク本体部においてどのくらい広がったかを物差し測定した。すなわち、実施例２と同様に測定した。
【０１０４】
その結果、図５（ｂ）のように、液体の染み出しが少しはあったが（濡れの広がりがあったが）、大きな問題になるレベルではなかった。図５（ｂ）において濡れている部分の直径は、平均で３．５〜４．２ｃｍであり、実施例２の結果よりは悪かった。
なお、この結果は、レモングラス、サクラ、ラベンダー及びランで同一であり、調製した袋状部分の形状（逆三角形又は逆台形）で同一であった。
【０１０５】
実施例５
＜液体保持部材からの液体の染み出しの測定＞
調製例６で得られた脳作用マスク（液体をデンタルコットンの液体保持部材に含浸）を、装着から１０分後に、液体がマスク本体部においてどのくらい広がったかを物差し測定した。すなわち、実施例２と同様に測定した。
【０１０６】
その結果、図５（ａ）のように、液体の染み出しが殆どなく、液体による濡れが液体保持部の直上近傍だけであり、濡れの広がりもなかった。図５（ａ）において濡れている部分の直径は、平均で２．５〜３．２ｃｍであり、染み出しの少なさに関して、実施例２と共に最も良好であった。
なお、この結果は、レモングラス、サクラ、ラベンダー及びランで同一であり、調製した袋状部分の形状（逆三角形又は逆台形）で同一であった。
【０１０７】
比較例１
＜液体保持部材からの液体の染み出しの測定＞
比較調製例２で得られた脳作用マスク（液体を不織布又は濾紙を畳んだもの液体保持部材に含浸）を、装着から１０分後に、液体がマスク本体部においてどのくらい広がったかを物差し測定した。すなわち、実施例２と同様に測定した。
【０１０８】
その結果、図５（ｃ）のように、不織布でも濾紙でも、液体の染み出しが多くあり、液体による濡れが、液体保持部の直上近傍だけではなく大きく広がった。図５（ｃ）において濡れている部分の直径は、平均で５．５〜６．５ｃｍであり、これは問題になるレベルであった。
なお、この結果は、レモングラス、サクラ、ラベンダー及びランで同一であり、調製した袋状部分の形状（逆三角形又は逆台形）で同一であった。
【０１０９】
＜実施例２〜５、比較例１のまとめ＞
実施例２、３、４、５より、繊維を「圧縮成形」した液体保持部材、すなわち、接着剤等の媒体を実質的に使用せず、弱く圧縮成形し、かつ媒体や強い圧縮には依存せずに成形した液体保持部材では、図５（ａ）及び図５（ｂ）に示したように、液体による濡れは限定的であった。
更に、実施例２、５より、繊維を「圧縮成形」してなる液体保持部材に対してフィブリル化セルロース分散液を噴霧塗布した液体保持部材（それぞれ、調製例３、６）では、図５（ａ）に示したように、液体による染み出しは極めて限定的であり、液体保持部材の直上近傍のマスク本体部のみが濡れただけであった。
【０１１０】
一方、比較例１より、不織布や濾紙のように、接着剤等の媒体を使用するか、強く圧縮成形し、媒体や強い圧縮によって成形した液体保持部材では、図５（ｃ）に示したように、液体による濡れは極めて広範囲に亘った。
【０１１１】
本発明における液体保持部材では、水の吸収量が多く（保水性が高く、水のキャパシティーが大きく）、また、水の保持能力（水を外部に放出し難い性質）が高く、不必要にマスク本体を濡らさないことが分かった。
更に、フィブリル化セルロースを付与した液体保持部材では、水の吸収量が更に多く（保水性が極めて高く）、また、水の保持能力（水を外部に放出し難い性質）が極めて高く、マスク本体を濡らす面積が極めて小さいことが分かった。
濡れ（染み出し）が、液体保持部材、又は、液体保持部材近傍のマスク本体のみに止まることで、水性植物エキスが無駄にならず、有効成分の効果が持続し、扱い易く、不潔にもならなかった。
【０１１２】
実施例６
＜唾液中のコルチゾールの測定（抗ストレスの測定）＞
調製例３で得られた、「レモングラスから低温真空固液分離法によって得られた水性植物エキス」が含浸された脳作用マスクを、１０名の被験者について、３０分間装着してもらい、唾液中のコルチゾールの量を測定した。このマスクを、図１５では「レモングラスマスク」と略記する。
対照として、「マスク未装着」を評価した。
また、対照として、比較調製例１で得られた「液体を液体保持部材に含浸させなかったマスク」（図１５では「市販のマスク」と略記）を同様に３０分装着してもらった。
唾液中のコルチゾールの測定は、常法に従って行った。
【０１１３】
結果を図１５に示す。図１５から、このレモングラスマスクを装着すると、唾液中のコルチゾールの量が減少することが分かった。
このことは、該マスクが、コルチゾール分泌抑制用として有用であり、コルチゾール分泌抑制用マスクであることを示している。
従って、この脳作用マスクは、図１４記載の原理からして、ストレス症状の治療若しくは予防用としても有用であることが示唆され、更に、認知症の治療若しくは予防用として有用であることも示唆された。
【０１１４】
実施例７
＜食欲の測定＞
充分なエサをいれた飼育箱の中で、ラットに毎日３０分間、調製例３で得られた、「レモングラスから低温真空固液分離法によって得られた水性植物エキス」を含有する液体の香りを嗅がせ、６日間、体重の変化を測定した（図１６）。それぞれ４匹のラットの体重（変化）を測定し相加平均を求めて、「ラット体重（ｇ）」とした。その結果を図１７に示す。
【０１１５】
図１７から分かるように、該香りを嗅がせたラットは、平均体重の増加速度が、嗅がせずに通常飼育したラットに比べて有意に増加した。
このことは、レモングラスから得られた水性植物エキスが、食欲増進に効果があることを示している。レモングラス同様、ＮＩＲＳで脳活性化が認められた「植物から得られた水性植物エキス」の中には、食欲増進に効果があるものがあることが示唆される。
【０１１６】
従って、本発明の脳作用マスクは、食欲不振症状の治療若しくは予防用として有用であり、従って、食欲増進用マスクとして有用であることが示された。更には、食欲が増進するので、認知症の治療若しくは予防用のマスクとして有用であることが示唆された。
【０１１７】
比較例２
調製例１、２において、低温真空固液分離法によって抽出することに代えて、レモングラスから、（通常５０℃より高温になる）水蒸気蒸留法、水／エタノール混合抽出溶媒による溶媒抽出法を用いて抽出した。
調製例３と同様にしてマスクを作製して、実施例１と同様にして評価したが、実施例１に比較して何れも、脳活性化も脳沈静化も低減した。
その原因として、熱による有効成分の変質又は散逸；天然の植物由来ではない物質（抽出溶媒等）の混入；等が考えられた。
【産業上の利用可能性】
【０１１８】
本発明の脳作用マスクに含浸されている水性植物エキスは、低温真空固液分離法によって得られたものなので、植物の細胞水をそのままの状態で含み、今までの植物抽出液とは異なる成分組成を有し、抽出工程において抽出溶媒を使用する必要がないので全て天然物由来にすることができ、脳活性化や脳沈静化の効果が高く、また安全性も高い。
また、保水力の高い特定の液体保持部材を、特定の形状をした袋状部分に収納して使用するので、取り扱いが容易であると共に、マスク本体部において広範囲に液体の染み出しによる問題が起こり難い。
従って、本発明の脳作用マスクは、認知症、鬱症状、不眠症、食欲不振症状、又は、ストレス症状の治療若しくは予防用として極めて有用であるため、医療品分野、介護用品分野、衛生用品分野、生活用品分野、メディカル分野、医療分野、介護分野等において広く利用されるものである。
【符号の説明】
【０１１９】
２１    容器
２２    冷却器
２３    撹拌羽根
２４    加熱装置
２５    排気口
２６    排出口
２７    配管
３２    真空計
３３    温度計
３４    回収槽
３５    減圧装置
４１    植物
４２    油層
４３    水層
４４    固体
【図１】
2020065836.tif 000003
【図２】
2020065836.tif 000004
【図３】
2020065836.tif 000005
【図４】
2020065836.tif 000006
【図５】
2020065836.tif 000007
【図６】
2020065836.tif 000008
【図７】
2020065836.tif 000009
【図８】
2020065836.tif 000010
【図９】
2020065836.tif 000011
【図１０】
2020065836.tif 000012
【図１１】
2020065836.tif 000013
【図１２】
2020065836.tif 000014
【図１３】
2020065836.tif 000015
【図１４】
2020065836.tif 000016
【図１５】
2020065836.tif 000017
【図１６】
2020065836.tif 000018
【図１７】
2020065836.tif 000019
【図１８】
2020065836.tif 000020